(57)【要約】      （修正有）【課題】ホイッスルにおいて、重量面や取り扱い性（防水面や耐衝撃性等）に関する問題をはじめ、携行の習慣が付けにくい点や電池消耗といったことに関する全ての問題を一気に解消できるようにする。【解決手段】吹き口７と、この吹き口７から導気路８を経た先で空気流を分流する窓９とが設けられた本体部２を有すると共に、本体部２には、缶体の蓋面に伏せた姿勢で設けられたプルトップに対して少なくともその下面へ挿入可能な引き起こし片を有して缶体３０を開口可能にするプルトップオープナー３が設けられている。【選択図】図１
0003105604.tif 000002
【実用新案登録請求の範囲】
【請求項１】
吹き口（７）と、この吹き口（７）から導気路（８）を経た先で空気流を分流する窓（９）とが設けられた本体部（２）に、容器を開栓するためのオープナーが設けられたことを特徴とするホイッスル。
【請求項２】
前記オープナーは、缶体（３０）の蓋面に伏せた姿勢で設けられたプルトップ（３２）に対して、少なくともその下面へ挿入可能な引き起こし片（２２）を有して缶体（３０）を開口可能にするプルトップオープナー（３）であることを特徴とする請求項１記載のホイッスル。
【請求項３】
前記オープナーは、ボトル体（４１）の口部を閉栓するボトルキャップ（４２）に対して、その周方向で回り止めする状態に外嵌するリング体（４０）を有してボトル体（４１）を開栓可能にするキャップオープナー（４）であることを特徴とする請求項１記載のホイッスル。
【請求項４】
吹き口（７）と、この吹き口（７）から導気路（８）を経た先で空気流を分流する窓（９）とが設けられた本体部（２）に、缶体（３０）の蓋面に伏せた姿勢で設けられたプルトップ（３２）に対して少なくともその下面へ挿入可能な引き起こし片（２２）を有して缶体（３０）を開口可能にするプルトップオープナー（３）と、ボトル体（４１）の口部を閉栓するボトルキャップ（４２）に対してその周方向で回り止めする状態に外嵌するリング体（４０）を有してボトル体（４１）を開栓可能にするキャップオープナー（４）とが設けられていることを特徴とするホイッスル。
【請求項５】
キャップオープナー（４）は、前記本体部（２）に対し、吹き口（７）が設けられた端面（２ａ）とは反対向きに設けられていることを特徴とする請求項３又は請求項４記載のホイッスル。
【請求項６】
前記本体部（２）において、吹き口（７）が設けられた端面（２ａ）に、この吹き口（７）と仕切り片（１６）で仕切られた状態で並んで開口する差し口（１５）が設けられ、この差し口（１５）内で上記仕切り片（１６）と対向する本体部（２）の外面形成部分が前記引き起こし片（２２）とされていることを特徴とする請求項２又は請求項４記載のホイッスル。
【請求項７】
前記本体部（２）において、吹き口（７）と差し口（１５）とは成形段階では一つの開口（２０）として形成されたうえでこの開口（２０）へ仕切り片（１６）を後付けすることによって互いに区画形成されており、この後付けする仕切り片（１６）には、窓（９）に達するより手前位置で差し口（１５）側へ突出してこの差し口（１５）の奥行きを有限に区画する奥壁片（２１）が形成されていることを特徴とする請求項６記載のホイッスル。
【請求項８】
前記本体部（２）において、吹き口（７）から導気路（８）を経た先方には、窓（９）を超えて更に延長して共鳴室（１１）が形成されていることを特徴とする請求項１乃至請求項７のいずれかに記載のホイッスル。
【考案の詳細な説明】
【技術分野】
【０００１】
本考案は、ホイッスルに関するものである。
【背景技術】
【０００２】
近頃では、治安の悪化傾向に伴って小型の防犯ブザーを携行する風潮が高まりつつある。このような防犯ブザーは、地震などの災害時や山歩き時の遭難、或いは熊除けなどにも重宝がられている。
ところで、従来、息を吹き込んで音を発するタイプのホイッスル（要は機械式でも電気式でもないもの）として、音だけでなく、ＬＥＤを同時に発光させるなどして視覚にも訴えられるように趣向を凝らしたものが提案されている（例えば特許文献１など参照）。
【特許文献１】実用新案登録第３０８６８８５号公報
【考案の開示】
【考案が解決しようとする課題】
【０００３】
防犯ブザーは小型でありながら大音量を発生できるものであり、その意味では優れたものと言える。しかし電池や回路、スピーカーなどを内蔵するため、幼児などでは重さを感じるものである点は否めない。また、防水面や耐衝撃性などでも取り扱い上の注意を要する。のみならず、防犯ブザーには、まさに「ブザー」としての用途しかないため、常日頃から絶えず携行するという習慣は付けにくいものとなっている。
特に問題なのは、知らない間に電池が消耗していて肝心なときに使用できない場合が発生し得る点にある。
【０００４】
一方、従来のホイッスルとして、ＬＥＤを発光させる構造のものでは、やはり重量面や取り扱い性（防水面や耐衝撃性等）に関する問題をはじめ、携行の習慣が付けにくい点や電池消耗といったことに関する問題は、ついてまわる。
本考案は、上記事情に鑑みてなされたものであって、重量面や取り扱い性（防水面や耐衝撃性等）に関する問題をはじめ、携行の習慣が付けにくい点や電池消耗といったことに関する全ての問題を一気に解消できるようにしたホイッスルを提供することを目的とする。
【課題を解決するための手段】
【０００５】
前記目的を達成するために、本考案は次の手段を講じた。
即ち、本考案に係るホイッスルは、吹き口と、この吹き口から導気路を経た先で空気流を分流する窓とが設けられた本体部を有して成る。そしてこの本体部には、容器を開栓するためのオープナーが設けられている。
このオープナーとしては、缶体を開口可能にするプルトップオープナーとすることができる。このプルトップオープナーは、例えば缶入り飲料などの缶体において、その蓋面に伏せた姿勢で設けられたプルトップを引き起こして缶体を開口可能にするためのもので、プルトップの少なくとも下面へ挿入可能な引き起こし片を有している。
【０００６】
このような構成のホイッスルであれば、プルトップオープナーに主眼をおいて携行する意欲が沸く。プルトップオープナーとしてであれば、日常生活のなかで缶入り飲料などの缶体を開口させる機会は多く、結果としてこのホイッスルを日常的に携行することに何ら違和感がないことになる。例えばキーホルダーや携帯電話のマスコットなどとしての携行も可能である。
しかもこのホイッスルは電池や回路を必要とするものではなく、息を吹き込んで音を発するタイプであるから、重量面や取り扱い性（防水面や耐衝撃性等）に関する問題も殆ど生じない。またコンパクト、或いは任意形状に形成することも可能である。
【０００７】
このようなことから携行面での問題は略完全に解消される。それが故に、ホイッスルとして実際に必要な場面では常備しているという状況を確保でき、本来のホイッスルとしての機能を十分に活かすことができるのである。
ところで、本体部にはキャップオープナーが設けられているものとしてもよい。このキャップオープナーは、例えばボトル飲料などのボトル体において、その口部を閉栓したボトルキャップを回して外す（開栓する）ためのもので、ボトルキャップの周方向で回り止めする状態に外嵌するリング体を有している。
【０００８】
このような構成のホイッスルも、プルトップオープナーであるかキャップオープナーであるかの違いがあるだけで、上記したプルトップオープナー付きホイッスルと略同様な作用効果が得られる。
勿論、本体部にはプルトップオープナー及びキャップオープナーの双方が設けられたものとしてもよい。
この場合、吹き口が設けられた端面とは反対向きにキャップオープナーが設けられているものとすると、プルトップオープナーとして使用するときにはキャップオープナーが把手としての作用を奏し、またキャップオープナーとして使用するときには本体部（プルトップオープナー）が把手としての作用を奏することになり、いずれにしても使用に便利となる。またホイッスル全体として、機能美を持たせることができる。
【０００９】
本体部にプルトップオープナーを設けたホイッスルでは、吹き口が設けられた端面にこの吹き口と仕切り片で仕切られた状態で並んで開口する差し口が設けられ、この差し口内で上記仕切り片と対向する本体部の外面形成部分が、前記引き起こし片として形成されているものとすればよい。
このような吹き口と差し口との配置関係とすることで、形状的にシンプル化でき、また大きさ的にコンパクト化できる。
本体部において、吹き口と差し口とは成形段階では一つの開口として形成させておき、そのうえでこの開口へ仕切り片を後付けすることによって吹き口と差し口とを区画形成させる構造を採用することが可能である。これによって製作が容易となり、また低コスト化できる。
【００１０】
この場合、この後付けする仕切り片には窓に達するより手前位置で差し口側へ突出してこの差し口の奥行きを有限に区画する奥壁片を形成させておくようにしてもよい。
このようにすることで、吹き口から吹き入れた息（空気流）が差し口から抜けてしまうのを防止し、音の安定化を図ることができる。
本体部において、吹き口から導気路を経た先方に、窓を超えて更に延長させるようにして共鳴室を形成してもよい。
このようにすることで、ホイッスルとして明瞭な音を発生させることができる。またこのような共鳴室を形成させる場合、その形状（主として奥行き長さ）や広さ（容積）を種々に調整して、音程や音色を変化させることも可能である。
【考案の効果】
【００１１】
本考案に係るホイッスルでは、重量面や取り扱い性（防水面や耐衝撃性等）に関する問題をはじめ、携行の習慣が付けにくい点や電池消耗といったことに関する全ての問題を一気に解消できる。それが故に、ホイッスルとして実際に必要な場面では常備しているという状況を確保でき、本来のホイッスルとしての機能を十分に活かすことができるのである。
【考案を実施するための最良の形態】
【００１２】
以下、本考案の実施の形態を、図面に基づき説明する。
図１乃至図７は、本考案に係るホイッスル１の第１実施形態を示している。この第１実施形態のホイッスル１は、それの本体部２にオープナーが設けられている。
この実施形態では、オープナーとして、本体部２に対してプルトップオープナー３とキャップオープナー４とが設けられたものである。
図１乃至図３から明らかなように、本体部２は靴べら状の扁平形で、且つ外周の輪郭全てにアール面取りが施されて丸みを帯びた形状に形成されており、その外周面のうち一端面２ａに吹き口７が設けられている。この吹き口７は導気路８によって本体部２の内部奥方へ向けた奥行きをもって形成されている。また本体部２には、その一方の平坦面２ｂに導気路８の先に連通するかたちで窓９が設けられている。この窓９には吹き口７に向けてエッジ１０が設けられている。
【００１３】
また本体部２の内部には、吹き口７から導気路８を経た先方に、窓９を超えて更に延長させるようにして共鳴室１１が形成されている。
このようなことから、この本体部２の吹き口７から勢いよく息を吹き込むことで、導気路８を通った息（空気流）がエッジ１０にぶつかり、窓９を介して本体部２の外へ出る空気流と本体部２の内部（導気路８内や共鳴室１１内等）に残る空気流とに分流され、これらの空気流がそれぞれカルマン渦を発生させて、大きくて且つ明瞭な笛音を発生することになる。
【００１４】
なお本体部２には、吹き口７が設けられた端面２ａに近接させる状態で両側の平坦面２ｂ，２ｃに小さな窪み１２が形成されている。この窪み１２により、吹き口７へ息を吹き込むときに本体部２を口にくわえやすくなっている。
プルトップオープナー３は、上記本体部２を共用するかたちで形成されたもので、本体部２の外面を形成しているなかの適当な一つの面に差し口１５が設けられたものである。本第１実施形態においてこの差し口１５は、吹き口７が設けられたのと同じ端面２ａでこの吹き口７と並んで開口されたものとしてある。差し口１５と吹き口７との間は仕切り片１６によって仕切られている。
【００１５】
このような差し口１５及び吹き口７は、図４に示すように、本体部２を成形する段階では一つの開口２０として形成させておく。そして、この開口２０に別形成した仕切り片１６を差し込んで固着することで、互いに区画された差し口１５及び吹き口７を形成させるものである。
図５に示すように、この仕切り片１６には吹き口形成用の溝７Ａと、差し口形成用の溝１５Ａとが表裏に振り分けて設けられていると共に、差し口形成用の溝１５Ａが設けられた面の奥端側に奥壁片２１が突出状に形成されている。この奥壁片２１は、仕切り片１６を本体部２の開口２０内へ差し込んだ際に、窓９に達するより手前位置に位置付けられた状態で開口２０の内面に当接するようになっている。
【００１６】
そのため、差し口１５はその奥行きが有限なものとして閉塞され、吹き口７から吹き入れた息（空気流）が差し口１５から抜けてしまうということがない。
このようにして形成された差し口１５により、本体部２には、この差し口１５内で仕切り片１６と対向する外面形成部分（一方の平坦面２ｃ）が引き起こし片２２として形成されることになる。
すなわち、図６に示すように、缶入り飲料などの缶体３０においてその蓋面３１に伏せた姿勢で設けられたプルトップ３２に対し、その下面（蓋面３１との間）へ上記引き起こし片２２が挿入される状態でプルトップオープナー３（本体部２）の差し口１５を嵌め込み、このプルトップオープナー３を引き起こすようにすれば、引き起こし片２２による梃子作用でプルトップ３２が起こされ、缶体３０を開口できる。
【００１７】
一方、キャップオープナー４は本体部２から張り出すようにして設けられたリング体４０を有している。本第１実施形態では、本体部２において吹き口７が設けられた端面２ａとは反対向きへ張り出し、且つこのリング体４０のリング孔が本体部２の平坦面２ｂや２ｃと同じ平面内で開口する向きに設けられたものとしてある。
またこのリング体４０には、外周部の一部に、鎖や紐などを結び留めるための連結部４５が設けられている。
このリング体４０のリング孔は、ボトル飲料などのボトル体４１において、その口部を閉栓したボトルキャップ４２に外嵌可能な内径を有しており、その内周面にはボトルキャップ４２の外周面に当接して滑止め作用を奏するギザギザ４３が設けられている。
【００１８】
従って図７に示すように、ボトル体４１の口部を閉栓したボトルキャップ４２にリング体４０が外嵌させ、このキャップオープナー４（本体部２）を周回させるようにすることで、ボトルキャップ４２を開栓方向へ回転させ、ボトル体４１を開栓できる。
このホイッスル１において、プルトップオープナー３として使用するときには、図６に示したようにキャップオープナー４が把手としての作用を奏し、またキャップオープナー４として使用するときには、図７に示したようにプルトップオープナー３が把手としての作用を奏することになり、いずれにしても使用に便利となる。なお、プルトップオープナー３を把手として使用するときには、本体部２の平坦面２ｂ，２ｃに設けられた窪み１２が指の滑りを防止する作用をも奏する。
【００１９】
このような構成のホイッスル１であれば、プルトップオープナー３やキャップオープナー４に主眼をおいて携行する意欲が沸くので、ホイッスル本来として実際に必要な場面では常備していることになり、結果、ホイッスル１としての機能を十分に活かすことができる。
図８は本考案に係るホイッスル１の第２実施形態を示している。この第２実施形態では、本体部２にはプルトップオープナー３だけが設けられている。また図９は本考案に係るホイッスル１の第３実施形態を示している。この第３実施形態では、本体部２にはキャップオープナー４だけが設けられている。
【００２０】
これらのホイッスル１も、上記した第１実施形態のホイッスル１と略同様な作用効果が得られる。
ところで、本考案は、上記した各実施形態に限定されるものではなく、実施の形態に応じて適宜変更可能である。
例えば、このホイッスル１の形成材料はＡＢＳ樹脂などを用いるのが好適であるが、その他の樹脂、金属、木材など、特に限定されるものではなく、また細部形状などについても何ら限定されるものではない。
【００２１】
本体部２に対する吹き口７の形成位置をはじめ、プルトップオープナー３やキャップオープナー４の形成位置なども適宜変更可能である。
【図面の簡単な説明】
【００２２】
【図１】本考案に係るホイッスルの第１実施形態を示した平面図である。
【図２】図１のＡ−Ａ線矢視図である。
【図３】図１のＢ−Ｂ線拡大断面図である。
【図４】仕切り片を示した斜視図である。
【図５】図４の仕切り片における裏側を示した斜視図である。
【図６】プルトップオープナーとしての使用状況を示した斜視図である。
【図７】ボトルキャップオープナーとしての使用状況を示した斜視図である。
【図８】本考案に係るホイッスルの第２実施形態を示した平面図である。
【図９】本考案に係るホイッスルの第３実施形態を示した平面図である。
【符号の説明】
【００２３】
１  ホイッスル
２  本体部
２ａ  端面
３  プルトップオープナー
４  キャップオープナー
７  吹き口
８  導気路
９  窓
１１  共鳴室
１５  差し口
１６  仕切り片
２０  開口
２１  奥壁片
２２  引き起こし片
３０  缶体
３２  プルトップ
４０  リング体
４１  ボトル体
４２  ボトルキャップ
【図１】
0003105604.tif 000003
【図２】
0003105604.tif 000004
【図３】
0003105604.tif 000005
【図４】
0003105604.tif 000006
【図５】
0003105604.tif 000007
【図６】
0003105604.tif 000008
【図７】
0003105604.tif 000009
【図８】
0003105604.tif 000010
【図９】
0003105604.tif 000011